(57)【要約】  【解決手段】  薄手のシェルガーメントにスライドファスナーアセンブリを取り付ける方法は、２列のかみ合った務歯から成るスライドファスナーチェーンを提供する工程であって、務歯の各列は各スライドファスナーテープのコード束に取り付けられるものである、前記提供する工程と、前記かみ合った務歯の列を前記スライドファスナーチェーンの一部から除去することにより、前記スライドファスナーチェーンに務歯のない一定長の部分を画成する工程と、前記スライドファスナーチェーンの前記務歯のない一定長の部分に沿った位置で前記コード束に補強フィルムを導入し、蝶棒・箱アセンブリを受容するためのコード束を成形する工程と、前記スライドファスナーチェーンの前記務歯のない一定長の部分に沿ってフィルム補強した位置で前記スライドファスナーチェーンを裁断することにより、前記フィルム補強した端部で終端する半完成スライドファスナーアセンブリを画成する工程と、薄手のシェルガーメントの１若しくはそれ以上の身頃に前記半完成スライドファスナーアセンブリを取り付ける工程とを含む。前記薄手のシェルガーメントの１若しくはそれ以上の身頃に前記半完成スライドファスナーアセンブリを取り付けた後、前記半完成スライドファスナーアセンブリの前記フィルム補強した端部に前記蝶棒・箱アセンブリが取り付けられる。  【選択図】      図２
2017527391.tif 000002
【特許請求の範囲】
【請求項１】
薄手のシェルガーメント（ｓｈｅｌｌ  ｇａｒｍｅｎｔ）に取り付けるための半完成スライドファスナーアセンブリを作製する方法であって、
２列のかみ合った務歯から成るスライドファスナーチェーンを提供する工程であって、務歯の各列は各スライドファスナーテープのコード束に取り付けられるものである、前記提供する工程と、
前記かみ合った務歯の列を前記スライドファスナーチェーンの一部から除去することにより、前記スライドファスナーチェーンに務歯のない一定長の部分を画成する工程と、
前記スライドファスナーチェーンの前記務歯のない一定長の部分に沿った所定の位置において前記コード束に補強フィルムを導入し、蝶棒・箱アセンブリを受容するためのコード束を成形する工程と、
前記スライドファスナーチェーンの前記務歯のない一定長の部分に沿ってフィルム補強した位置で前記スライドファスナーチェーンに開口部を設け、前記フィルム補強したコード束を裁断する工程と、
前記開口部を横切って前記スライドファスナーチェーンを裁断することにより、フィルム補強した端部で終端する半完成スライドファスナーアセンブリを画成する工程と
を有する方法。
【請求項２】
請求項１記載の方法において、前記スライドファスナーチェーンは、ポリエステルコイルタイプのジッパーチェーンである方法。
【請求項３】
請求項１記載の方法において、前記補強フィルムは接着剤を含むものである方法。
【請求項４】
請求項１記載の方法において、前記かみ合った務歯の列が除去された前記スライドファスナーチェーンの一部は中間部分である方法。
【請求項５】
請求項１記載の方法において、前記コード束に前記補強フィルムを導入する工程は、超音波ホーンおよびアンビルにより前記コード束に前記補強フィルムを超音波で接着する工程を含むものである方法。
【請求項６】
請求項１記載の方法において、前記フィルム補強した位置で前記スライドファスナーチェーンに開口部を設ける工程は、打ち抜きパンチで前記スライドファスナーチェーンを打ち抜いて前記開口部を作製する工程を含むものである方法。
【請求項７】
請求項６記載の方法において、前記開口部は、Ｔ字型打ち抜きパンチにより形成されるものである方法。
【請求項８】
薄手のシェルガーメントにスライドファスナーアセンブリを取り付ける方法であって、
フィルム補強した端部で終端する半完成スライドファスナーアセンブリを作製する工程であって、半完成スライドファスナーテープは２列のかみ合った務歯から成り、務歯の各列は各スライドファスナーテープのコード束に取り付けられるものである、前記作製する工程と、
薄手のシェルガーメントの１若しくはそれ以上の身頃に前記半完成スライドファスナーアセンブリを取り付ける工程と、
前記薄手のシェルガーメントの１若しくはそれ以上の身頃に前記半完成スライドファスナーアセンブリを取り付けた後、前記半完成スライドファスナーアセンブリの前記フィルム補強した端部に蝶棒・箱アセンブリを取り付ける工程と
を有する方法。
【請求項９】
請求項８記載の方法において、さらに、
前記蝶棒・箱アセンブリを取り付ける前に、前記半完成スライドファスナーアセンブリの前記フィルム補強した端部にスライダー本体を取り付ける工程を有するものである方法。
【請求項１０】
請求項９記載の方法において、さらに、
前記かみ合った務歯の列に沿って前記スライダー本体を引張ることにより前記スライドファスナーテープを相互に分離する工程を有するものである方法。
【請求項１１】
請求項８記載の方法において、前記薄手のシェルガーメントに前記半完成スライドファスナーアセンブリを取り付ける工程は、
前記半完成スライドファスナーアセンブリの前記スライドファスナーテープにおいて前記務歯とは反対の側に薄膜接着剤を適用する工程と、
前記薄手のシェルガーメントの内面側に前記半完成スライドファスナーアセンブリを接着する工程と
を有するものである方法。
【請求項１２】
請求項８記載の方法において、前記半完成スライドファスナーアセンブリは、前身頃中心の開き部を画成する前記薄手のシェルガーメントの１若しくはそれ以上の身頃に取り付けられるものである方法。
【請求項１３】
請求項８記載の方法において、前記蝶棒・箱アセンブリを取り付ける工程は、
前記スライドファスナーテープの一方のフィルム補強したコード束に前記蝶棒・箱アセンブリの蝶棒を留める若しくは固定する工程と、
前記スライドファスナーテープの他方のフィルム補強したコード束に前記蝶棒・箱アセンブリの箱を留める若しくは固定する工程と
を有するものである方法。
【請求項１４】
薄手のシェルガーメントにスライドファスナーアセンブリを取り付ける方法であって、
２列のかみ合った務歯から成るスライドファスナーチェーンを提供する工程であって、務歯の各列は各スライドファスナーテープのコード束に取り付けられるものである、前記提供する工程と、
前記かみ合った務歯の列を前記スライドファスナーチェーンの一部から除去することにより、前記スライドファスナーチェーンに務歯のない一定長の部分を画成する工程と、
前記スライドファスナーチェーンの前記務歯のない一定長の部分に沿った所定の位置において前記コード束に補強フィルムを導入し、蝶棒・箱アセンブリを受容するためのコード束を成形する工程と、
前記スライドファスナーチェーンの前記務歯のない一定長の部分に沿ってフィルム補強した位置で前記スライドファスナーチェーンを裁断することにより、フィルム補強した端部で終端する半完成スライドファスナーアセンブリを画成する工程と、
薄手のシェルガーメントの１若しくはそれ以上の身頃に前記半完成スライドファスナーアセンブリを取り付ける工程と、
前記薄手のシェルガーメントの１若しくはそれ以上の身頃に前記半完成スライドファスナーアセンブリを取り付けた後、前記半完成スライドファスナーアセンブリの前記フィルム補強した端部に前記蝶棒・箱アセンブリを取り付ける工程と
を有する方法。
【請求項１５】
請求項１４記載の方法において、前記スライドファスナーチェーンは、ポリエステルコイルタイプのジッパーチェーンである方法。
【請求項１６】
請求項１４記載の方法において、前記コード束に前記補強フィルムを導入する工程は、超音波ホーンおよびアンビルにより前記コード束に前記補強フィルムを超音波で接着する工程を含むものである方法。
【請求項１７】
請求項１４記載の方法において、前記薄手のシェルガーメントに前記半完成スライドファスナーアセンブリを取り付ける工程は、
前記半完成スライドファスナーアセンブリの前記スライドファスナーテープにおいて前記務歯とは反対の側に薄膜接着剤を適用する工程と、
前記薄手のシェルガーメントの内面側に前記半完成スライドファスナーアセンブリを接着する工程と
を有するものである方法。
【請求項１８】
請求項１４記載の方法において、前記半完成スライドファスナーアセンブリは、前身頃中心の開き部を画成する前記薄手のシェルガーメントの１若しくはそれ以上の身頃に取り付けられるものである方法。
【請求項１９】
請求項１４記載の方法において、前記蝶棒・箱アセンブリを取り付ける工程は、
前記スライドファスナーテープの一方のフィルム補強したコード束に前記蝶棒・箱アセンブリの蝶棒を留める若しくは固定する工程と、
前記スライドファスナーテープの他方のフィルム補強したコード束に前記蝶棒・箱アセンブリの箱を留める若しくは固定する工程と
を有するものである方法。
【請求項２０】
請求項１４記載の方法において、さらに、
前記スライドファスナーチェーンの前記務歯のない一定長の部分に沿って前記フィルム補強した位置で前記スライドファスナーチェーンを裁断する前に、Ｔ字型打ち抜きパンチを使って前記フィルム補強した位置で前記スライドファスナーチェーンに開口部を形成することにより、前記フィルム補強したコード束を裁断する工程を有するものである方法。
【発明の詳細な説明】
【技術分野】
【０００１】
米国の目的上、本願は２０１４年９月１１日付で出願された米国仮特許出願第６２／０４９，１５４号の米特許本出願であり、米国特許法第１１９条（ｅ）に基づいて、２０１４年９月１１日付で出願された米国仮特許出願第６２／０４９，１５４号に対して優先権を主張するものであり、その全体はこの参照により本明細書に明示的に組み込まれるものである。
【０００２】
本特許文献に含まれるすべての資料は、米国および他国の著作権法に基づく著作権保護の対象とされる。著作権の所有者は、何者によっても本特許文献または本特許開示内容が政府の正式記録どおりにファックスにて複製されることにも異議を申し立てないものとするが、それ以外の場合におけるあらゆる著作権は、その所有者に帰属するものとする。
【０００３】
本発明は、シェルガーメント（ｓｈｅｌｌ  ｇａｒｍｅｎｔ）用のスライドファスナーアセンブリ（例えば、ジッパー）に関し、特に、薄手のシェルガーメントにスライドファスナーアセンブリを取り付ける方法に関する。
【背景技術】
【０００４】
衣料品の製造工程は、一般に、精製されていない、若しくは半完成の構成要素の使用および組み立てを伴う。例えば、ジャケットは、後ろ身頃、左前身頃、右前身頃、右袖、および左袖を含む。それらの構成要素が組み合わされた後、種々の仕上げ要素、例えば裏地および布の縁始末（例えば、伸縮性のウエストバンド、パイピング、襟など）を取り付けることができる。次いで、スナップ、ボタン、および／またはジッパーを含む閉じ部分の縁始末を施してジャケットを組み立てることができる。閉じ部分としてジッパーを使用する場合、そのジッパーは、一般に、当該衣料品への取り付け前に、まず当該ジッパーの構成要素から組み立てられて完成したジッパーアセンブリが形成される。完成したジッパーアセンブリの製造では、通常、ジッパーチェーン（それ自体がジッパーテープおよび務歯のアセンブリである）を所定の長さに事前裁断し、ジッパースライダーを取り付け、上止を取り付け、下止または蝶棒・箱アセンブリ（"ｐｉｎ  ａｎｄ  ｂｏｘ"ａｓｓｅｍｂｌｙ）を取り付ける。
【０００５】
ジャケットの例に戻ると、ジャケット正面で閉じる「前身頃中心」ジッパーが閉じ部分の一般的な選択肢である。「前身頃中心」ジッパーとは、（ポケットを閉じ、袖またはフードまたは襟を取り付け、フラップを閉じるなどの上で使用できる他のジッパーと対比して）一般にジャケットまたは２枚の前身頃を合わせ閉じる（すなわち合着させる）同様な衣料品のジッパーをいう。前身頃中心ジッパーは、通常、当該ジッパーの下端に取り付けられた蝶棒・箱アセンブリを有する。上止も取り付けられるが、一部の衣類用途では上止を省き、代わりに一定の縫製技術によってジッパースライダーが絶対にジッパーテープから外れないようにする（例えば、ジッパースライダーを前身頃中心の開き頂部まで引き上げたときなど）。前身頃中心ジャケットジッパーは、通常、少なくとも１つの布帛層を有する布帛材料で作製されたジッパーテープを利用する。ジッパーテープが取り付けられるジャケットの前身頃には、同様に、少なくとも１つの布帛層が含まれ、２若しくはそれ以上の布帛層が含まれることも多い。ジッパーテープがジャケットの前身頃に縫い付けられると、その結果得られる布帛層は少なくとも２つの（多くの場合それより多くの）布帛層を含むため、ジャケットの前身頃中心に厚みを増したかさばる領域を生じる。
【０００６】
高性能ジャケット、例えば重労作を伴う野外活動用、寒冷気候用に設計されたもの、および／または耐水性ジャケットでは、従来のジッパーアセンブリを使うと、望ましくない結果を招くおそれがある。例えば、一定タイプのジャケットでは、２若しくはそれ以上の布帛層が前身頃中心の開き部にあると、ジャケットの前身頃のジッパー取り付け部分に望ましくないかさばりが生じる。かさばりは、寒冷気候で優れた断熱をもたらす「薄手のシェル（ｔｈｉｎ  ｓｈｅｌｌ）」素材を利用することの多い高性能ジャケットに不要な重みを加えてしまう。さらに、防水性または耐水性のジャケットでは、従来の布帛ベースのジッパーテープを伴うジッパーを使うと、ジャケットの耐水性を損なうおそれがある。特に、従来のジッパーが防水性または耐水性のジャケットに使用されると、ジッパーテープ、ジッパーテープの取り付けに使用された縫製用の糸、および／またはジッパー務歯を通過して水がジャケット内に侵入する可能性がある。
【０００７】
衣料品メーカーは、既知の各種ソリューションを利用して、耐水設計されたジャケット内に水が侵入するリスクの軽減を図っている。その選択肢の１つでは、前身頃のどちらか一方または双方に取り付けられてジッパー上に延長し、これを覆うフラップを使う。しかし残念ながら、フラップはジャケットの着用中に動いて確実に閉鎖せず、傾向として水分がジッパーに接触するのを許し、またジッパーに沿ったジッパースライダーの操作を妨げるため、フラップの使用効果は限られている。また、フラップによりジャケット前身頃のかさばりも著しく増す。図１は、ジッパーフラップとともにジャケット１２に取り付けられた従来のスライドファスナーアセンブリ１０の斜視図である。図１からわかるように、前記ジャケット１２の前身頃中心の開き部における布帛材料１４のフラップは、前記スライドファスナーアセンブリ１０が気象状況に露出するのを軽減する。当該衣料品の薄手のシェルはジッパーテープの何らかの部分を覆うが、ジッパースライダー１６の動きを妨げ、この衣料品に望ましくないかさばりを生じる傾向があり、結果的に前記ジッパースライダー１６が当該薄手のシェルを噛んでしまうおそれがある。
【０００８】
水侵入リスクを軽減する別の既知のソリューションでは、それ自体で耐水性品質を呈するジッパーテープを使用する。耐水性のジッパーテープを単独で、またはフラップと組み合わせて使うと、水侵入リスクの軽減に役立つが、どちらのソリューションもジャケットの前身頃中心の開き部における複数層の布帛材料に起因するかさばりを軽減することはない。また、耐水性のフィルムまたはコーティングをジッパーテープに適用すると、ジッパーアセンブリの柔軟性が著しく損なわれてしまう。
【０００９】
水侵入リスクを軽減するさらに別の既知のソリューションでは、ジッパーの「務歯のむき出し部分」（ｇｒｉｎ）（すなわち、ジッパーテープの内縁部間の間隙）を最小化するよう試みることにより、水が侵入できる領域を最小限に抑える。「務歯のむき出し部分」を狭める場合、好適なジッパータイプは見えないコイルタイプのジッパーで、これは通常、コイル務歯が内側に面する（着用者へ向かい、外界から離れる方向へ向かう）状態で衣料品に取り付けられる。しかしながら、そのようなジッパーを動作可能にするには、ジッパーテープの何らかの部分が依然として外界に露出していなければならない（これは、ジャケットの身頃またはフラップへのジッパー取り付けによりジッパーテープが完全に覆われると、ジッパースライダーの動作が妨げられてしまうためである）。
【発明の概要】
【発明が解決しようとする課題】
【００１０】
上記を受け、薄手のシェルガーメントにスライドファスナーアセンブリを取り付ける方法であって、当該スライドファスナーアセンブリのかさばりを軽減し、および／または当該スライドファスナーアセンブリの水侵入の脆弱性を軽減する方法が必要とされている。このニーズ等は、本発明の１若しくはそれ以上の態様により対処される。  
【課題を解決するための手段】
【００１１】
本発明の例示的な実施形態のいくつかは、上述した欠点のうち１若しくはそれ以上および上述しなかった他の欠点を克服することができるが、本発明は、特に上述した欠点のいずれも克服する必要はなく、本発明の例示的な実施形態のいくつかは、上述した欠点のいずれも克服しない可能性がある。
【００１２】
広義に定義すると、本発明は一観点によれば、薄手のシェルガーメントに取り付けるための半完成スライドファスナーアセンブリを作製する方法を含む。この方法は、２列のかみ合った務歯から成るスライドファスナーチェーンを提供する工程であって、務歯の各列は各スライドファスナーテープのコード束に取り付けられるものである、前記提供する工程と、前記かみ合った務歯の列を前記スライドファスナーチェーンの一部から除去することにより、前記スライドファスナーチェーンに務歯のない一定長の部分を画成する工程と、前記スライドファスナーチェーンの前記務歯のない一定長の部分に沿った所定の位置において前記コード束に補強フィルムを導入し、蝶棒・箱アセンブリを受容するためのコード束を成形する工程と、前記スライドファスナーチェーンの前記務歯のない一定長の部分に沿ってフィルム補強した位置で前記スライドファスナーチェーンに開口部を設け、前記フィルム補強したコード束を裁断する工程と、前記開口部を横切って前記スライドファスナーチェーンを裁断することにより、フィルム補強した端部で終端する半完成スライドファスナーアセンブリを画成する工程とを含む。
【００１３】
この態様の特徴において、前記スライドファスナーチェーンは、ポリエステルコイルタイプのジッパーチェーンとすることができ、前記補強フィルムは接着剤を含んでよく、前記かみ合った務歯の列が除去された前記スライドファスナーチェーンの一部は中間部分であってよく、および／または前記コード束に前記補強フィルムを導入する工程は、超音波ホーンおよびアンビルにより前記コード束に前記補強フィルムを超音波で接着する工程を含んでもよい。
【００１４】
本態様の別の特徴において、フィルム補強した位置で前記スライドファスナーチェーンに開口部を設ける工程は、打ち抜きパンチで前記スライドファスナーチェーンを打ち抜いて前記開口部を作製する工程を含んでよい。本態様の別の特徴において、前記開口部はＴ字型打ち抜きパンチにより形成できる。
【００１５】
広義に定義すると、本発明は別の態様によれば、薄手のシェルガーメントにスライドファスナーアセンブリを取り付ける方法を含む。この方法は、フィルム補強した端部で終端する半完成スライドファスナーアセンブリを作製する工程であって、半完成スライドファスナーテープは２列のかみ合った務歯から成り、務歯の各列は各スライドファスナーテープのコード束に取り付けられるものである、前記作製する工程と、薄手のシェルガーメントの１若しくはそれ以上の身頃に前記半完成スライドファスナーアセンブリを取り付ける工程と、前記薄手のシェルガーメントの１若しくはそれ以上の身頃に前記半完成スライドファスナーアセンブリを取り付けた後、前記半完成スライドファスナーアセンブリの前記フィルム補強した端部に前記蝶棒・箱アセンブリを取り付ける工程とを含む。
【００１６】
本態様の特徴において、前記方法は、さらに、前記蝶棒・箱アセンブリを取り付ける前に、前記半完成スライドファスナーアセンブリの前記フィルム補強した端部にスライダー本体を取り付ける工程を含むことができる。本態様の別の特徴において、前記方法は、さらに、前記かみ合った務歯の列に沿って前記スライダー本体を引張ることにより前記スライドファスナーテープを相互に分離する工程を含むことができる。
【００１７】
本態様の別の特徴において、前記薄手のシェルガーメントに前記半完成スライドファスナーアセンブリを取り付ける工程は、前記半完成スライドファスナーアセンブリの前記スライドファスナーテープにおいて前記務歯とは反対の側に薄膜接着剤を適用する工程と、前記薄手のシェルガーメントの内面側に前記半完成スライドファスナーアセンブリを接着する工程とを含むことができる。
【００１８】
本態様の別の特徴において、前記半完成スライドファスナーアセンブリは、前身頃中心の開き部を画成する前記薄手のシェルガーメントの１若しくはそれ以上の身頃に取り付けることができる。
【００１９】
本態様の別の特徴において、前記蝶棒・箱アセンブリを取り付ける工程は、前記スライドファスナーテープの一方のフィルム補強したコード束に前記蝶棒・箱アセンブリの蝶棒を留める若しくは固定する工程と、前記スライドファスナーテープの他方のフィルム補強したコード束に前記蝶棒・箱アセンブリの箱を留める若しくは固定する工程とを含むことができる。
【００２０】
広義に定義すると、本発明は別の態様によれば、薄手のシェルガーメントにスライドファスナーアセンブリを取り付ける方法を含む。この方法は、２列のかみ合った務歯から成るスライドファスナーチェーンを提供する工程であって、務歯の各列は各スライドファスナーテープのコード束に取り付けられるものである、前記提供する工程と、前記かみ合った務歯の列を前記スライドファスナーチェーンの一部から除去することにより、前記スライドファスナーチェーンに務歯のない一定長の部分を画成する工程と、前記スライドファスナーチェーンの前記務歯のない一定長の部分に沿った位置において前記コード束に補強フィルムを導入し、蝶棒・箱アセンブリを受容するためのコード束を成形する工程と、前記スライドファスナーチェーンの前記務歯のない一定長の部分に沿ってフィルム補強した位置で前記スライドファスナーチェーンを裁断することにより、フィルム補強した端部で終端する半完成スライドファスナーアセンブリを画成する工程と、薄手のシェルガーメントの１若しくはそれ以上の身頃に前記半完成スライドファスナーアセンブリを取り付ける工程と、前記薄手のシェルガーメントの１若しくはそれ以上の身頃に前記半完成スライドファスナーアセンブリを取り付けた後、前記半完成スライドファスナーアセンブリの前記フィルム補強した端部に前記蝶棒・箱アセンブリを取り付ける工程とを含む。
【００２１】
本態様の特徴において、前記スライドファスナーチェーンは、ポリエステルコイルタイプのジッパーチェーンとすることができ、および／または前記コード束に前記補強フィルムを導入する工程は、超音波ホーンおよびアンビルにより前記コード束に前記補強フィルムを超音波で接着する工程を含むことができる。
【００２２】
本態様の別の特徴において、前記薄手のシェルガーメントに前記半完成スライドファスナーアセンブリを取り付ける工程は、前記半完成スライドファスナーアセンブリの前記スライドファスナーテープにおいて前記務歯とは反対の側に薄膜接着剤を適用する工程と、薄手のシェルガーメントの内面側に前記半完成スライドファスナーアセンブリを接着する工程とを含むことができる。
【００２３】
本態様の別の特徴において、前記半完成スライドファスナーアセンブリは、前身頃中心の開き部を画成する前記薄手のシェルガーメントの１若しくはそれ以上の身頃に取り付けることができる。
【００２４】
本態様の別の特徴において、前記蝶棒・箱アセンブリを取り付ける工程は、前記スライドファスナーテープの一方のフィルム補強したコード束に前記蝶棒・箱アセンブリの蝶棒を留める若しくは固定する工程と、前記スライドファスナーテープの他方のフィルム補強したコード束に前記蝶棒・箱アセンブリの箱を留める若しくは固定する工程とを含むことができる。
【００２５】
本態様の別の特徴において、前記方法は、さらに、前記スライドファスナーチェーンの前記務歯のない一定長の部分に沿って前記フィルム補強した位置で前記スライドファスナーチェーンを裁断する前に、Ｔ字型打ち抜きパンチを使って前記フィルム補強した位置で前記スライドファスナーチェーンに開口部を形成することにより、前記フィルム補強したコード束を裁断する工程を含むことができる。
【００２６】
本発明のさらに別の応用分野は、以下の詳細な説明から明らかになるであろう。前記詳細な説明および具体例は、本発明の好適な実施形態を示しているが、単に例示的なものであって本開示の範囲を限定することを意図したものではないことを理解すべきである。
【図面の簡単な説明】
【００２７】
本発明のさらに別の特徴、実施形態、および利点は、図面を参照して以降の詳細な説明を考慮することで明らかになるであろう。
【図１】図１は、ジッパーフラップとともにジャケットに取り付けられた従来のスライドファスナーアセンブリの斜視図である。
【図２】図２は、本発明の１若しくはそれ以上の態様に基づいて薄手のシェルガーメントに取り付けられたスライドファスナーアセンブリの部分正面図である。
【図２Ａ】図２Ａは、図２のスライドファスナーアセンブリを線２Ａ−２Ａに沿って見た断面図である。
【図２Ｂ】図２Ｂは、図２Ａのスライドファスナーアセンブリの一部の拡大図である。
【図２Ｃ】図２Ｃは、図２のスライドファスナーアセンブリの斜視図である。
【図３】図３は、薄手のシェルガーメントへの取り付け前に、半完成スライドファスナーアセンブリを作製する方法を例示したフローチャートである。
【図３Ａ】図３Ａ〜３Ｅは、図３のフローチャートに対応する図を示したものである。
【図３Ｂ】図３Ａ〜３Ｅは、図３のフローチャートに対応する図を示したものである。
【図３Ｃ】図３Ａ〜３Ｅは、図３のフローチャートに対応する図を示したものである。
【図３Ｄ】図３Ａ〜３Ｅは、図３のフローチャートに対応する図を示したものである。
【図３Ｅ】図３Ａ〜３Ｅは、図３のフローチャートに対応する図を示したものである。
【図４】図４は、図３Ｅの半完成スライドファスナーアセンブリを薄手のシェルガーメントに接着する方法を例示したフローチャートである。
【図４Ａ】図４Ａ〜４Ｃは、図４のフローチャートに対応する図を示したものである。
【図４Ｂ】図４Ａ〜４Ｃは、図４のフローチャートに対応する図を示したものである。
【図４Ｃ】図４Ａ〜４Ｃは、図４のフローチャートに対応する図を示したものである。
【図５】図５は、図４の半完成スライドファスナーアセンブリにスライダー本体および蝶棒・箱アセンブリを取り付ける方法を例示したフローチャートである。
【図５Ａ】図５Ａ〜５Ｄは、図５のフローチャートに対応する図を示したものである。
【図５Ｂ】図５Ａ〜５Ｄは、図５のフローチャートに対応する図を示したものである。
【図５Ｃ】図５Ａ〜５Ｄは、図５のフローチャートに対応する図を示したものである。
【図５Ｄ】図５Ａ〜５Ｄは、図５のフローチャートに対応する図を示したものである。
【発明を実施するための形態】
【００２８】
前置きとして、当業者であれば、本発明は広い実用性および用途を有することが容易に理解されるであろう。さらに、「好適」であるとして説明および特定する実施形態は、いずれも本発明を実施するために企図される最良の形態の一部と見なされる。他の実施形態についても、本発明の完全かつ実現可能な開示を行うにあたり、付加的な例示目的で説明する。いかなる実施形態も、上記に開示した本発明の態様のうち１つのみ若しくは複数を実装でき、さらに上記に開示した本発明の特徴のうち１つのみ若しくは複数を実装できることを理解すべきである。さらに、多くの実施形態、例えば適応形態、変形形態、変更形態、および等価構成は、本明細書で説明する諸実施形態により黙示的に開示され、本発明の範囲内に含まれるものとする。
【００２９】
そのため、本発明については１若しくはそれ以上の実施形態と関連付けて本明細書で詳しく説明するが、本開示は本発明を図示および例示するためのものであり、単に本発明の完全かつ実現可能な開示を提供することを目的として作成されたことを理解すべきである。本明細書で詳述する１若しくはそれ以上の実施形態の開示は、本発明が与えられる特許保護の範囲を限定することを目的としたものでも、そのように解釈すべきものでもなく、前記特許保護の範囲は請求項およびその等価物により定義される。本発明が与えられる特許保護の範囲は、任意の請求項を読むことにより、また請求項自体に明示的に記載されていない限定を本明細書に見出すことにより定義されることを意図するものではない。
【００３０】
このように、例えば、本明細書で説明する種々の工程または方法の工程段階のいかなるシーケンスおよび／または時間的順序も、例示的なものであり限定的なものではない。そのため、シーケンスまたは時間的順序において種々の工程または方法の工程段階を示し、説明もするが、そのようないかなる工程または方法の工程段階も、別段の断りがない限り、いかなる特定のシーケンスまたは順序での実施にも限定されないことを理解すべきである。実際、そのような工程または方法の工程段階は、一般に、種々の異なるシーケンスおよび順序で実施されるが、それでも本発明の範囲内に含まれる。そのため、本発明が与えられる特許保護の範囲は、本明細書に記載される説明ではなく、添付の請求項により定義されることが意図されている。
【００３１】
また特筆すべき重要な点として、本明細書で使用する各用語とは、本明細書における当該用語の文脈的使用に基づき、当業者が理解するであろうものをいう。本明細書で使用する用語の意味―当該用語の文脈的使用に基づいて当業者に理解される―が、当該用語について辞書に記載された任意特定の定義と多少なりとも異なる場合は、当業者により理解される当該用語の意味が優先されるよう意図されている。
【００３２】
米国特許法第１１２条第６項の適用性については、どの請求項要素もこの法規定に基づいて読まれるよう意図されていないが、明示的な表現「手段」（ｍｅａｎｓ  ｆｏｒ）または「工程」（ｓｔｅｐ  ｆｏｒ）が実際にそのような請求項要素に使用されている場合はこの限りではなく、この法規定がそのような請求項要素の解釈に適用されるよう意図されている。
【００３３】
さらに、特筆すべき重要な点として、本明細書において「１つの（ａ）」および「１つの（ａｎ）」は、それぞれ一般に「１若しくはそれ以上の（ｏｎｅ  ｏｒ  ｍｏｒｅ）」を意味し、文脈的使用により別段の断りがない限り、複数を排除しない。そのため、「りんごを有するピクニック用バスケット」（ａ  ｐｉｃｎｉｃ  ｂａｓｋｅｔ  ｈａｖｉｎｇ  ａｎ  ａｐｐｌｅ）という場合は、「少なくとも１つのりんごを有するピクニック用バスケット」（ａ  ｐｉｃｎｉｃ  ｂａｓｋｅｔ  ｈａｖｉｎｇ  ａｔ  ｌｅａｓｔ  ｏｎｅ  ａｐｐｌｅ）だけでなく「複数のリンゴを有するピクニック用バスケット」（ａ  ｐｉｃｎｉｃ  ｂａｓｋｅｔ  ｈａｖｉｎｇ  ａｐｐｌｅｓ）も説明している。これと対照的に、「単一のりんごを有するピクニック用バスケット」（ａ  ｐｉｃｎｉｃ  ｂａｓｋｅｔ  ｈａｖｉｎｇ  ａ  ｓｉｎｇｌｅ  ａｐｐｌｅ）という場合は、「１つだけりんごを有するピクニック用バスケット」（ａ  ｐｉｃｎｉｃ  ｂａｓｋｅｔ  ｈａｖｉｎｇ  ｏｎｌｙ  ｏｎｅ  ａｐｐｌｅ）を説明している。
【００３４】
本明細書で使用する、項目のリストを結合する用語「または」（ｏｒ）は、「当該項目のうち少なくとも１つ」（ａｔ  ｌｅａｓｔ  ｏｎｅ  ｏｆ  ｔｈｅ  ｉｔｅｍｓ）を意味するが、当該リストの複数の項目を排除するものではない。そのため、「チーズまたはクラッカーを有するピクニック用バスケット」（ａ  ｐｉｃｎｉｃ  ｂａｓｋｅｔ  ｈａｖｉｎｇ  ｃｈｅｅｓｅ  ｏｒ  ｃｒａｃｋｅｒｓ）という場合は、「チーズを有するクラッカーなしのピクニック用バスケット」（ａ  ｐｉｃｎｉｃ  ｂａｓｋｅｔ  ｈａｖｉｎｇ  ｃｈｅｅｓｅ  ｗｉｔｈｏｕｔ  ｃｒａｃｋｅｒｓ）、「クラッカーを有するチーズなしのを有するピクニック用バスケット」（ａ  ｐｉｃｎｉｃ  ｂａｓｋｅｔ  ｈａｖｉｎｇ  ｃｒａｃｋｅｒｓ  ｗｉｔｈｏｕｔ  ｃｈｅｅｓｅ）、および「チーズおよびクラッカーの双方を有するピクニック用バスケット」（ａ  ｐｉｃｎｉｃ  ｂａｓｋｅｔ  ｈａｖｉｎｇ  ｂｏｔｈ  ｃｈｅｅｓｅ  ａｎｄ  ｃｒａｃｋｅｒｓ）を説明している。最後に、本明細書で使用する、項目のリストを結合する用語「および」（ａｎｄ）は、「当該リストのすべての項目」（ａｌｌ  ｏｆ  ｔｈｅ  ｉｔｅｍｓ  ｏｆ  ｔｈｅ  ｌｉｓｔ）を意味する。そのため、「チーズおよびクラッカーを有するピクニック用バスケット」（ａ  ｐｉｃｎｉｃ  ｂａｓｋｅｔ  ｈａｖｉｎｇ  ｃｈｅｅｓｅ  ａｎｄ  ｃｒａｃｋｅｒｓ）という場合は、「チーズを有するピクニック用バスケットにおいて、当該ピクニック用バスケットはさらにクラッカーを有する」（ａ  ｐｉｃｎｉｃ  ｂａｓｋｅｔ  ｈａｖｉｎｇ  ｃｈｅｅｓｅ，  ｗｈｅｒｅｉｎ  ｔｈｅ  ｐｉｃｎｉｃ  ｂａｓｋｅｔ  ｆｕｒｔｈｅｒ  ｈａｓ  ｃｒａｃｋｅｒｓ）だけでなく、「クラッカーを有するピクニック用バスケットにおいて、当該ピクニック用バスケットはさらにチーズを有する」（ａ  ｐｉｃｎｉｃ  ｂａｓｋｅｔ  ｈａｖｉｎｇ  ｃｒａｃｋｅｒｓ，  ｗｈｅｒｅｉｎ  ｔｈｅ  ｐｉｃｎｉｃ  ｂａｓｋｅｔ  ｆｕｒｔｈｅｒ  ｈａｓ  ｃｈｅｅｓｅ）と説明している。
【００３５】
ここで図面を参照すると、いくつかの図にわたり同様な参照番号は同様な構成要素を表しており、以下、本発明の１若しくはそれ以上の好適な実施形態について説明する。１若しくはそれ以上の好適な実施形態に関する以下の説明は、単に例示的な性質のものであり、本発明、その応用または用途を限定することを目的としたものでは決してない。
【００３６】
図２は、本発明の１若しくはそれ以上の態様に基づいて薄手のシェルガーメント１１２に取り付けられたスライドファスナーアセンブリ１１０の部分正面図である。図２は、前記スライドファスナーアセンブリ１１０を衣料品の内側から見た図であり、前記スライドファスナーアセンブリ１１０が閉じられた（すなわち、スライドファスナーを閉じた）構成を図示している。図２からわかるように、前記スライドファスナーアセンブリ１１０は、２列のコイルタイプのジッパー務歯１１３、１１４を含み、その各々は、それに対応したスライドファスナーテープ１１５、１１６のコード束１１７、１１８に取り付けられている。このスライドファスナーアセンブリ１１０の基部は、蝶棒・箱アセンブリ（ｐｉｎ  ａｎｄ  ｂｏｘ  ａｓｓｅｍｂｌｙ）を含む（第１のスライドファスナーテープ１１５の端部に係止された蝶棒１２２と、第２のスライドファスナーテープ１１６の端部に係止された箱１２４とから成る）。前記スライドファスナーアセンブリ１１０は、スライダー本体（図２Ａに概略的に示す）も含み、任意選択的に上止（図示せず）も含む。
【００３７】
図２Ａは、図２のスライドファスナーアセンブリ１１０を線２Ａ−２Ａに沿って見た断面図であり、図２Ｂは、図２Ａのスライドファスナーアセンブリ１１０の一部の拡大図である。図２Ａを参照すると、前記薄手のシェルアウターガーメント１１２は、少なくとも実質的に―すべてとはいかなくとも―前記スライドファスナーアセンブリ１１０の前記スライドファスナーテープ１１５、１１６を覆うことにより、水分および摩耗から前記スライドファスナーテープ１１５、１１６を保護する。前記スライドファスナーアセンブリ１１０の「務歯のむき出し部分（ｇｒｉｎ）」（すなわち、前記スライドファスナーテープの内縁部間の間隙１１１）は、外部環境への前記ジッパー務歯の露出を最小限に抑える上で役立つよう幅狭になっている。企図された実施形態において、前記スライドファスナーアセンブリ１１０の務歯のむき出し部分は、前記スライダー本体の動作を妨げずに、前記薄手のシェルガーメントが前記スライドファスナーテープ１１５、１１６の実質的に全体を覆えるよう最低限に抑えられられる。
【００３８】
前記スライドファスナーアセンブリ１１０、ならびに本明細書で説明する当該スライドファスナーアセンブリ１１０を取り付ける方法は、特に高性能の衣料品、ジャケットなどにおける実施に十分適している。企図されている諸実施形態において、前記スライドファスナーアセンブリ１１０および本明細書で説明する前記取り付け方法は、「薄手のシェル」ガーメントにおいて実装される。薄手のシェルガーメントは、一般に、風と水を含む環境の影響から着用者を保護する外層として使用される。薄手のシェルガーメントは、一般に、薄手の布帛ベースの材料または合成材料（多くの場合、単一層から成る）で作製され、着用者を保護する他の層（例えば、断熱層）と併用できる。
【００３９】
前記スライドファスナーアセンブリ１１０の前記スライドファスナーテープ１１５、１１６は、極薄材料で作製することが考えられる。この場合、前記スライドファスナーテープ１１５、１１６を前記薄手のシェルガーメントに接着すれば、著しく厚みを増大させない。図２Ａおよび２Ｂを参照すると、前記スライドファスナーテープ１１５、１１６は、接着層１２０により前記薄手のシェルガーメント１１２に接着できる。また、前記蝶棒・箱アセンブリ１２２、１２４が前記コード束１１７、１１８に取り付けられる前記スライドファスナーアセンブリ１１０の基部において、前記スライドファスナーテープ１１５、１１６は、内側補強フィルム１２６（当該スライドファスナーテープ１１５、１１６の内部面側に設けられる）と、外側補強フィルム１２８（前記接着層１２０と当該スライドファスナーテープ１１５、１１６間に設けられる）とにより覆われる。前記補強フィルム１２６、１２８を使用してコード束１１７、１１８の形状を整えることにより、前記蝶棒・箱アセンブリ１２２、１２４を前記コード束１１７、１１８に強固に取り付けることが可能となる。
【００４０】
さらに図２Ａを参照すると、スライダー本体１３０の一部が、前記箱１２４に隣接して概略的に示されている。特に、スライダー本体レール１３２およびスライダー本体上部プレート１３４が、前記スライドファスナーテープ１１５に対して概略的に図示されている。有利なことに、極薄のスライドファスナーテープ１１５、１１６を薄手のシェルガーメント１１２と併用することで予測可能な安定した薄い寸法の材料が得られ、コイルタイプの務歯１１３、１１４の列の長さ方向に沿ってスライダー本体１３０が移動しやすくなり、それらコイルタイプの務歯がかみ合う態様で当該務歯を合わせ閉じることが可能になる。
【００４１】
図２Ｃは、薄手のシェルアウターガーメント１１２に取り付けられた図２のスライドファスナーアセンブリ１１０の斜視図である。図２Ｃに示すように、この薄手のシェルガーメント１１２は、実質的に―すべてとはいかなくとも―前記スライドファスナーテープ１１５、１１６を覆うことにより、水分および摩耗から前記スライドファスナーテープ１１５、１１６を保護する。前記スライドファスナーアセンブリ１１０を開閉するには、前記スライダー本体１３０の上部プレート１３４を、当該薄手のシェルガーメント１１２に接着された前記スライドファスナーテープのサンドイッチの上から操作することができる。この場合、当該薄手のシェルガーメント１１２および前記極薄スライドファスナーテープのサンドイッチが前記スライダー本体１３０をスムーズに通過させることにより、当該サンドイッチ材料が噛まれないようにし、当該スライドファスナーアセンブリ１１０を通じた水分侵入を防ぐ上で役立つ。
【００４２】
図３は、薄手のシェルガーメントへの取り付け前に、半完成スライドファスナーアセンブリを作製する方法２００を例示したフローチャートであり、図３Ａ〜３Ｅは、図３のフローチャートに対応する図を示したものである。ここで図３および３Ａを参照すると、半完成スライドファスナーアセンブリを作製する工程は、ある連続長のスライドファスナーチェーン１４０を提供する工程２０１から始まる。本説明の目的上、このスライドファスナーチェーン１４０は、極薄スライドファスナーテープを備えたポリエステルコイルタイプのジッパーチェーンとすることができる。他のタイプおよび構成のスライドファスナーチェーンも同様に考えられる。図３Ａには、連続長のスライドファスナーチェーン１４０の一部が示されている。このスライドファスナーチェーン１４０は、２列のかみ合ったコイルタイプのジッパー務歯１１３、１１４を含む。務歯１１３、１１４の各列は、対応するスライドファスナーテープ１１５、１１６の前記コード束１１７、１１８に取り付けられる。
【００４３】
図３および３Ｂを参照すると、工程２０５で、前記連続長のスライドファスナーチェーン１４０に間隙空間１４２が設けられる。前記間隙空間１４２を設けるため、前記スライドファスナーチェーン１４０の指定長のコイルタイプの務歯が前記コード束１１７、１１８から除去される。この前記スライドファスナーチェーン１４０からの指定長コイル務歯の除去は、多種多様な手段により行える。企図された実施形態では、前記指定長のコイルタイプの務歯は機械的な工程により除去される。指定長のコイルタイプの務歯を除去しても、前記コード束１１７、１１８は、前記スライドファスナーテープ１１５、１１６の表面に比較的元の状態で残る。前記除去される指定長のコイルタイプの務歯は、後述する蝶棒・箱アセンブリの導入を可能にする上で十分な長さでなければならない。
【００４４】
図３および３Ｃを参照すると、工程２１０で、前記間隙空間１４２の一部に内側補強フィルム１２６が適用される。図３Ｃに示すように、前記内側補強フィルムは、前記スライドファスナーテープ１１５、１１６に接着されて、前記コード束１１７、１１８の一部を覆う。少なくとも一部の実施形態において、前記内側補強フィルム１２６は、前記スライドファスナーテープ１１５、１１６および前記コード束１１７、１１８に接着する接着性の裏面を有する。また、少なくとも一部の実施形態では、超音波ホーン（図示せず）およびアンビル（図示せず）を使って前記内側補強フィルム１２６を接着することができる。この場合は、超音波ホーンを前記スライドファスナーチェーン１４０の裏側（前記内側補強フィルム１２６がない側）に抗して配置し、アンビルを前記スライドファスナーテープの前記内側補強フィルム１２６側に配置する。前記アンビルは、特に前記コード束１１７、１１８を受容するよう精確に切削された溝を有するよう構成できる。前記超音波ホーンで熱を加えると、前記内側補強フィルム１２６が前記コード束１１７、１１８および前記スライドファスナーテープ１１５、１１６に接着される。前記アンビルにより、前記コード束とフィルムの組み合わせは、当該取り付け工程で後続する蝶棒・箱アセンブリ取り付けを受容できる精確な形状へと強制的に成形される。
【００４５】
任意選択的に、また工程２１０および図３Ｃをさらに参照すると、前記スライドファスナーテープ１１５、１１６の前記コイルタイプの務歯１１３、１１４と反対の側に、外側補強フィルムを適用することができる。この場合は、前記内側および外側補強フィルムを、前記スライドファスナーテープ１１５、１１６の対向しあう側から前記間隙空間１４２に同時に適用することが考えられる。
【００４６】
図３および３Ｄを参照すると、工程２１５で、前記フィルム補強した前記スライドファスナーチェーン１４０の間隙部分が「Ｔ字型」打ち抜きパンチを使って打ち抜かれる。前記Ｔ字型打ち抜きパンチは、前記コード束１１７、１１８を切断し、前記スライドファスナーテープ１１５、１１６の前記フィルム補強部分を除去する。図３Ｄに示すように、前記Ｔ字型打ち抜きパンチにより、前記スライドファスナーチェーン１４０を完全に断って延在する略十字形の開口部１４４ができる。
【００４７】
図３および３Ｅを参照すると、工程２２０で、望ましい長さの前記スライドファスナーチェーンが前記連続長のスライドファスナーチェーン１４０から裁断される。図３Ｅに示すように、前記裁断は、前記フィルム補強した前記スライドファスナーチェーン１４０の間隙部分で行われ、具体的には、前記Ｔ字型打ち抜きパンチでできた前記十字形の開口部１４４を横切って行われる。この位置で前記スライドファスナーチェーン１４０を裁断すると、結果的に衣料品への取り付け準備が整った半完成スライドファスナーアセンブリ１５０が得られる。裁断が行われた後に得られた前記半完成スライドファスナーアセンブリ１５０は、かみ合った２列のコイルタイプのジッパー務歯１１３、１１４を含み、その各々は、対応する前記スライドファスナーテープ１１５、１１６の前記コード束１１７、１１８に取り付けられる。前記スライドファスナーテープ１１５、１１６は前記フィルム補強した端部で終端し、そこでは前記コイルタイプの務歯が除去され、前記コード束１１７、１１８が前記内側補強フィルム１２６の適用により精確に成形されて蝶棒・箱アセンブリの取り付けを受容できるようになっている。また、前記フィルム補強した端部では、前記スライドファスナーテープ１１５、１１６が、前記Ｔ字型打ち抜きパンチの残した小さな間隙１４６により離間されている。
【００４８】
また、前記連続長のスライドファスナーチェーン１４０を前記フィルム補強した間隙部分で裁断した後は、各裁断済みピースをそれ自体で半完成スライドファスナーアセンブリ１５０として使用できることが意図されている。すなわち、前記裁断後は、得られた各ピースの一端がフィルム補強した端部で終端し、得られた各ピースは、本明細書で以下説明するように、半完成スライドファスナーアセンブリ１５０として別個に処理できるようになる。
【００４９】
図４は、図３Ｅの半完成スライドファスナーアセンブリ１５０を薄手のシェルガーメントに接着する方法３００を例示したフローチャートであり、図４Ａ〜４Ｃは、図４のフローチャートに対応する図を示したものである。ここで図４および４Ａを参照すると、当該半完成スライドファスナーアセンブリ１５０を薄手のシェルガーメントに接着する方法は、前記半完成スライドファスナーアセンブリ１５０に薄膜接着剤１２０を適用する工程３０５から始まる。図４Ａには、図３の半完成スライドファスナーアセンブリ１５０の裏側が示されている。図４Ａに見られるこの半完成スライドファスナーアセンブリ１５０の裏側は、図３Ｅに示した側（この場合、前記コイルタイプの務歯１１３、１１４および前記内側補強フィルム１２６が見られる）の裏側である。
【００５０】
前記薄膜接着剤１２０は、前記スライドファスナーテープ１１５、１１６の裏側で、前記半完成スライドファスナーアセンブリ１５０の前記フィルム補強した端部に、またはそれに隣接して略均一な厚さの層として適用できる。企図された実施形態において、前記薄膜接着剤１２０は、前記スライドファスナーテープ１１５、１１６の少なくとも一部の裏側に適用された外側補強フィルムの上から適用できる。
【００５１】
図４および４Ｂを参照すると、前記半完成スライドファスナーアセンブリ１５０は、前記薄手の布帛シェルガーメント１１２に前記スライドファスナーテープを接着させることで、当該衣料品に接着される。図４Ｂには、この衣料品１１２の外部に面する側が示されており、前記半完成スライドファスナーアセンブリ１５０は、この衣料品１１２の内面側に接着されている。前記半完成スライドファスナーアセンブリ１５０の内面側は図４Ｃに見られ、以降さらに詳しく説明する。前記半完成スライドファスナーアセンブリ１５０がジャケットの前身頃中心閉じ部分として取り付けられる一実施形態では、当該半完成スライドファスナーアセンブリ１５０は当該ジャケットの左右の前身頃に同時に接着される。
【００５２】
さらに、前記半完成スライドファスナーアセンブリ１５０は、他の種々の手段で当該衣料品に接着できることが考えられる。例えば、一部の実施形態において、前記半完成スライドファスナーアセンブリ１５０は、当該衣料品の身頃に縫い付け可能なことが考えられる。
【００５３】
さらに図４Ｂに示すように、前記薄手のシェルアウターガーメント１１２は、前記半完成スライドファスナーアセンブリ１５０の前記スライドファスナーテープを実質的に覆うことにより、水分および摩耗から前記スライドファスナーテープを保護する。また、前記スライドファスナーアセンブリ１５０の務歯のむき出し部分は狭いため、外部環境への前記コイルタイプの務歯の露出を最小限に抑える上で役立っている。図４Ｃは、前記半完成スライドファスナーアセンブリ１５０が接合された状態の図４Ｂの前記衣料品１１２の内面側を例示したものである。図４Ｃに示すように、前記半完成スライドファスナーアセンブリ１５０は前記衣料品１１２の内面側に接着されており、この衣料品１１２はさらなる処理の準備が整っている。
【００５４】
図５は、図４の半完成スライドファスナーアセンブリにスライダー本体および蝶棒・箱アセンブリを取り付ける方法４００を例示したフローチャートであり、図５Ａ〜５Ｄは、図５のフローチャートに対応する図を示したものである。図５および５Ａを参照すると、工程４０５で、前記スライドファスナーテープ１１５、１１６が互いから完全に分離される。図５Ａは、前記衣料品に接着された前記半完成スライドファスナーアセンブリ１５０を示しており、前記スライドファスナーテープ１１５、１１６は完全に分離されている。前記スライドファスナーテープ１１５、１１６は、前記半完成スライドファスナーアセンブリ１５０の端部（すなわち、後述するように前記蝶棒・箱アセンブリがのちに取り付けられる端部）にスライダー本体（図示せず）を取り付けたのち、前記コイルタイプの務歯１１３、１１４がかみ合わわなくなるよう当該務歯に沿って前記スライダー本体を引張ることで互いから分離されることが考えられる。前記スライドファスナーテープ１１５、１１６の分離後、前記蝶棒・箱アセンブリを取り付けた後に前記スライダー本体を後に使用するために前記コイルタイプの務歯の列の１つに沿った位置に保持できる。前記スライダー本体は、後に前記蝶棒・箱アセンブリの前記箱を受容する前記コイルタイプの務歯の列に沿って保持されるように意図されている。
【００５５】
図５および５Ｂを参照すると、工程４１０で、前記コード束１１７、１１８の前記フィルム補強した部分の上から蝶棒・箱アセンブリ１２２、１２４が取り付けられる。特に、前記蝶棒・箱アセンブリの前記箱１２４は、それ以前に工程４０５で前記スライダー本体を受容した前記スライドファスナーテープ１１６の前記フィルム補強したコード束１１８の上から取り付けられ、前記蝶棒・箱アセンブリの前記蝶棒１２２は、前記スライドファスナーテープ１１５の前記フィルム補強したコード束１１７の上から取り付けられる。前記蝶棒１２２は、隣接する前記コイルタイプの務歯１１３の列との間に適切な間隔を保てるよう、位置的に調整できる。前記箱１２４も同様に、隣接する前記コイルタイプの務歯１１４の列との間に適切な間隔を保てるよう、位置的に調整できる。図３の工程２１０を再び参照すると、前記フィルム補強したコード束１１７、１１８（前記蝶棒・箱アセンブリが取り付けられる前記スライドファスナーテープ１１５、１１６の端部の）は、補強フィルムが適用され、超音波で接着された際、精確に成形されている。特に、前記コード束１１７、１１８は、前記蝶棒１２２および前記箱１２４を比較的容易に受容できるよう精確に成形されている。この場合、前記蝶棒１２２および前記箱１２４は、前記衣料品１１２に接着済みのスライドファスナーテープ１１５、１１６に容易に取り付けられる。
【００５６】
図５および５Ｃを参照すると、工程４１５で、前記蝶棒１２２および前記箱１２４が、前記スライドファスナーテープ１１５、１１６の前記コード束１１７、１１８に固定される。企図された実施形態において、前記蝶棒１２２および前記箱１２４は、前記コード束１１７、１１８に固定され、および／または留められる。前記蝶棒１２２および前記箱１２４を前記コード束１１７、１１８に固定する他の手段も同様に考えられる。
【００５７】
任意選択的に、また図５および５Ｄを参照すると、工程４２０で、前記スライドファスナーテープ１１５、１１６のどちらか一方または双方の頂端に上止１４８を取り付けることができる。前記上止１４８は、前記スライドファスナーテープ１１５、１１６の頂端で前記コード束１１７、１１８に若しくはその付近に固定し、装着し、または取り付けることができる。前記上止１４８は、前記スライダー本体の上方の終端を提供し、当該スライダー本体が前記完成したスライドファスナーアセンブリからはずれないようにする。
【００５８】
企図される別の実施形態では、上記より前に、前記スライドファスナーテープ１１５、１１６のどちらか一方または双方に、上止１４８を取り付けることができる。特に、工程２１５の後（前記スライドファスナーチェーン１４０の前記フィルム補強した間隙部分が「Ｔ字型」打ち抜きパンチで打ち抜かれる際）、ならびに工程２２０の前（望ましい長さの前記スライドファスナーチェーンが前記連続長のスライドファスナーチェーン１４０から裁断される際）、上止１４８、例えば図５Ｄに示したものを、前記連続長のスライドファスナーチェーンの前記スライドファスナーテープ１１５、１１６のどちらか一方または双方に取り付けることが考えられる（図３および３Ａ〜３Ｅに関連して上述した）。この実施形態によれば、また図３および３Ｄを参照すると、上止は、前記スライドファスナーテープ１１５、１１６のどちらか一方または双方の前記間隙空間１４２の使用されない部分の端部と、前記Ｔ字型打ち抜きパンチにより形成される前記略十字形の開口部１４４との間にに取り付けられることが意図されている。この場合、工程２２０で前記裁断が行われると、図３Ｅに示されていない前記スライドファスナーチェーンの一部（すなわち、切除された部分）には、前記スライドファスナーテープ１１５、１１６のどちらか一方または双方の端部にすでに上止が取り付けられており、別個の半完成スライドファスナーアセンブリの一部としてさらなる処理を行うことができる。
【００５９】
図５で説明した工程に続き、前記スライドファスナーテープ１１５、１１６は、この時点で完全にバーストしており（前記２列のコイルタイプの務歯１１３、１１４が各々の全長に沿って完全に引き離されて、前記コイルタイプの務歯の係合が完全に解除されており）、前記スライダー本体は前記蝶棒・箱アセンブリの前記箱１２４を含む前記コイルタイプの務歯１１４の列に取り付けられている。当該完成したスライドファスナーアセンブリは、この時点で通常どおりに使用する準備が整った。
【００６０】
本発明の諸方法では、接着剤または他の接着手段または縫製により、半完成スライドファスナーアセンブリを衣料品に組み込むことができる。本発明の諸方法によれば、衣料品と個別に組み立てられた半完成スライドファスナーアセンブリは、前記半完成スライドファスナーアセンブリが衣料品に接着された後で、スライダー本体および蝶棒・箱アセンブリを加えることにより完成できる。また、本発明の諸方法に基づいて取り付けられた極薄スライドファスナーテープを伴うスライドファスナーアセンブリは、衣料品の耐水性態様を高め、かさばりを最小限に抑える上で役立つ。本発明に基づいて取り付けられたスライドファスナーアセンブリは、比較的容易に開閉でき、完成した衣料品の耐水性能を高めるよう衣料品の前身頃の隣接しあう縁部間の務歯のむき出し部分を非常に狭く保てることがここで理解されるであろう。
【００６１】
当業者であれば、以上の情報に基づき、本発明には広い実用性および応用が可能であることが容易に理解されるであろう。本発明から、または本発明により妥当に示唆された事柄から、および本発明に関する以上の説明から、本発明の範囲を逸脱しない範囲で、本発明には、本明細書で具体的に説明したもの以外にも多数の実施形態および適応形態、ならびに多数の変形形態、変更形態、および等価構成が可能であることが明確に理解されるであろう。
【００６２】
そのため、本発明については１若しくはそれ以上の好適な実施形態と関連付けて本明細書で詳しく説明したが、本開示は単に本発明を図示および例示するためのものであり、単に本発明の完全かつ実現可能な開示を提供することを目的として作成されたことを理解すべきである。以上の開示は、本発明を限定し、またはそのような他の任意の実施形態、適応形態、変形形態、変更形態、または等価構成を排除すると解釈されることを目的としたものではなく、本発明は、本明細書に添付の請求項およびその等価物だけにより限定されるものである。
【図１】
2017527391.tif 000003
【図２】
2017527391.tif 000004
【図２Ａ】
2017527391.tif 000005
【図２Ｂ】
2017527391.tif 000006
【図２Ｃ】
2017527391.tif 000007
【図３】
2017527391.tif 000008
【図３Ａ】
2017527391.tif 000009
【図３Ｂ】
2017527391.tif 000010
【図３Ｃ】
2017527391.tif 000011
【図３Ｄ】
2017527391.tif 000012
【図３Ｅ】
2017527391.tif 000013
【図４】
2017527391.tif 000014
【図４Ａ】
2017527391.tif 000015
【図４Ｂ】
2017527391.tif 000016
【図４Ｃ】
2017527391.tif 000017
【図５】
2017527391.tif 000018
【図５Ａ】
2017527391.tif 000019
【図５Ｂ】
2017527391.tif 000020
【図５Ｃ】
2017527391.tif 000021
【図５Ｄ】
2017527391.tif 000022
【国際調査報告】
2017527391.tif 000023